(57)【要約】【課題】  顎の下に装着して肩にかかる首の重さを軽減する顎枕を提供する。【解決手段】  顎枕本体１はスポンジや発泡スチロールなどの柔らかく軽い素材からなり、全体形状は身体への装着状態を基準として、前部の厚みが大きく、喉に当たる後部の厚みが小さくなっている。顎枕本体１は５枚の柔らかい素材１ａ、１ｂ、１ｃ、1ｄ、１ｅを高さ方向に重ねて構成され、各素材１ａ、１ｂ、１ｃ、1ｄ、１ｅには互いにずれないようにするための係合用の凸部４と凹溝５が形成されている。【選択図】  図２
2015123155.tif 000002
【特許請求の範囲】
【請求項１】
紐やテープを用いて顎の下に装着する顎枕であって、この顎枕の本体はゴムやスポンジなどの柔らかい素材からなり、喉に当たる部分の厚み寸法が前方部分に比べて薄く、喉に当たる部分の形状が首に沿った凹面形状となっていることを特徴とする顎枕。
【請求項２】
請求項１に記載の顎枕において、前記顎枕本体は着脱自在な複数の板状素材を高さ方向に重ねて構成されることを特徴とする顎枕。
【請求項３】
請求項１または２に記載の顎枕において、前記顎枕本体の喉に当たる部分には凹部が形成されていることを特徴とする顎枕。
【発明の詳細な説明】
【技術分野】
【０００１】
本発明は顎の下に装着することで、頭の重さを肩だけでなく胸や鎖骨、肩甲骨にも重さを分散して支えるための顎枕に関する。
【背景技術】
【０００２】
成人男子の頭の重さは４〜６ｋｇと言われている。寝ている時以外はこの重さを筋肉によって支えている。具体的には首、肩から背中にかけて僧帽筋と称する大きな筋肉が存在し、この僧帽筋が頭の重さを支えている。
【０００３】
肩凝りの原因としては、姿勢の悪さ、運動不足、ストレス、冷え、更年期障害、内蔵疾患など様々な原因が指摘されているが、肩凝りの現象は僧帽筋の炎症である。同じ姿勢を長時間続けたり、運動不足によって僧帽筋への血行が悪くなると肩凝りがひどくなる。
【０００４】
特許文献１には身障者用の可動椅子が提案されている。この可動椅子の座部の後端には調節杆が設けられ、この調節杆の上端に身障者がうつ伏せ状態で顎を載せる顎枕が開示されている。
【０００５】
また特許文献２には一部が顎の下に入りこむ自在枕が開示されている。この自在枕は、ヘルメットタイプの枕であり、顎の下に枕の一部が入りこむ構成となっており、気道を確保することで、鼾や無呼吸症候群が防止されることが開示されている。
【先行技術文献】
【特許文献】
【０００６】
【特許文献１】特開平１１−２９０３８７号公報
【特許文献２】特開２００９−２６８８７１号公報
【発明の開示】
【発明が解決しようとする課題】
【０００７】
特許文献１に開示される身障者用の可動椅子は、うつ伏せ状態で使用するものであり、健常者が普段の仕事中や休息中に装着して使用できる構成にはなっていない。
【０００８】
特許文献２に開示される自在枕は、就寝時の姿勢が悪くても、気道を確保して鼾や無呼吸症候群が生じないようにするためのものであり、例えば、うつ伏せ状態でも息ができるように、硬質素材からなるヘルメット形状をしており、この自在枕を装着した状態でパソコンを操作するには不向きである。
【課題を解決するための手段】
【０００９】
上記課題を解決するため本発明に係る顎枕は、顎枕本体とこの顎枕本体を顎の下に装着する締結具とで構成され、顎枕本体はゴムやスポンジなどの柔らかい素材からなり、喉に当たる部分の厚み寸法が前方部分に比べて薄く、喉に当たる部分の形状が首に沿った凹面形状となっている。
【００１０】
前記顎枕本体は着脱自在な複数の板状素材を高さ方向に重ねて構成してもよい。この場合には顎枕本体を袋に入れるか、各素材を凹凸係合させてずれないようにするのが好ましい。
【００１１】
また、前記顎枕本体の喉に当たる部分には凹部を形成することが好ましい。使用者が男性の場合には喉仏があり、喉仏に枕の一部が当たると、不快感を感じる場合が多い。そこで、貫通穴を形成し顎枕本体の喉に当たる部分に前記貫通穴を開口させれば快適に装着することができる。
【発明の効果】
【００１２】
本発明に係る顎枕によれば、頭の重さを僧帽筋のみで受けるのではなく、胸の上部でも受けるようにすることで、負担が分散され肩凝りが軽減される。
また、本発明に係る顎枕は顎の下に入れても全体として柔らかい素材からできているため、違和感がなく、高さも調節できるため自分に最適な状態で使用することができる。
【図面の簡単な説明】
【００１３】
【図１】本発明に係る顎枕本体の使用状態の一例を示す図
【図２】顎枕の斜視図
【図３】一番上の板状素材を外した顎枕本体を内側から見た斜視図
【図４】本発明に係る顎枕本体の正面図
【図５】本発明に係る顎枕本体の背面図
【図６】本発明に係る顎枕本体の平面図
【図７】本発明に係る顎枕本体の底面図
【図８】本発明に係る顎枕本体の側面図
【図９】本発明に係る顎枕本体の縦断面図
【発明を実施するための最良の形態】
【００１４】
以下に本発明の実施例を添付図面を参照して説明する。
本発明に係る顎枕は顎枕本体１と、この顎枕本体１を顎の下に固定するための紐などの締結具２からなる。図示例にあっては、布製のテープの端部にマジックファスナー（登録商標）３を取付けたものを用いている。
【００１５】
顎枕本体１はスポンジや発泡スチロールなどの柔らかく軽い素材からなり、全体形状は身体への装着状態を基準として、前部の厚みが大きく、喉に当たる後部の厚みが小さく、前面は後面よりも幅狭で前方に膨出し、後面は首に沿うように前方に凹出している。
【００１６】
顎枕本体１の全体形状としては、前部と後部の幅を同じか若しくは前部の幅を高部の幅よりも大きくしてもよく、また前面については前方に膨出させずにフラットにしてもよい。
【００１７】
また、顎枕本体１としては空気で膨らませることで前記した形状を維持するようにしてもよい。空気でふくらませるようにした場合は、軽く嵩張らず携帯に便利である。
【００１８】
顎枕本体１は図示例にあっては５枚の柔らかい素材１ａ、１ｂ、１ｃ、1ｄ、１ｅを高さ方向に重ねて構成している。このように顎枕本体１を複数の素材から構成することで、使用者の首の長さに応じて最適の厚みを設定することができる。尚、複数の素材を重ねることなく１つのブロックによって顎枕本体１を構成してもよい。
【００１９】
各素材１ａ、１ｂ、１ｃ、1ｄ、１ｅには互いにずれないようにするための係合用の凸部４と凹溝５が形成されている。尚、凸部４と凹溝５を設ける代わりに顎枕本体１を締結具２付きの袋に入れてもよい。このように袋に入れれば洗濯が可能となり、常に清潔に使用することができる。
【００２０】
また各素材１ａ、１ｂ、１ｃ、1ｄ、１ｅのうち素材１ａと１ｅについては後部の厚みを薄くし、素材１ｃについては他の素材よりも厚みを厚くして前後方向にトンネル状の貫通穴６を形成している。
【００２１】
貫通穴６を設けることで全体として柔らかくなるとともに、男性の場合には喉仏が突出しているため、顎枕本体１の後面が喉仏を圧迫し違和感を感じるおそれがあるが、喉仏が当たる箇所に貫通穴６が開口していれば、その心配はない。
【００２２】
貫通穴６を設ける主な目的は喉仏が当たらないようにするためであるので、貫通穴とはせずに顎枕本体１の後面に凹部を形成してもよい。
【産業上の利用可能性】
【００２３】
本発明に係る顎枕は、パソコンなどの作業を行う際の首の支えの他に、気道を開放する機能もあるため、就寝時や休息時などにも利用することができる。
【符号の説明】
【００２４】
１…顎枕本体、１ａ、１ｂ、１ｃ、1ｄ、１ｅ…柔らかい素材、２…締結具、３…面ファスナ、４…凸部、５…凹溝、６…貫通穴。
【図１】
2015123155.tif 000003
【図２】
2015123155.tif 000004
【図３】
2015123155.tif 000005
【図４】
2015123155.tif 000006
【図５】
2015123155.tif 000007
【図６】
2015123155.tif 000008
【図７】
2015123155.tif 000009
【図８】
2015123155.tif 000010
【図９】
2015123155.tif 000011